(57)【要約】【課題】主要部を分割して収納したり携行したりすることを可能とし、また、損傷した部品のみを交換することができる組立式バーベキューテーブルを提供する。【解決手段】相平行に起立状態で配置される一対の第１脚板１０と、第１脚板１０に直行しかつ相平行に起立状態で配置される一対の第２脚板２０とを備え、第１脚板１０、第２脚板２０の左右にそれぞれ設けられた縦方向に延びるスリットと嵌合部とを嵌め合わせることで平面視井の字形に組まれる脚板部３０と、脚板部３０の上部と着脱可能に係合する一枚または複数枚の天板で形成される、平面視で中央が開口５１した天板部５０と、一対の第１脚板１０同士または一対の第２脚板２０同士に設けられた穴１３に挿通され、穴１３の縁部１４と着脱可能に係合することで、第１脚板同士間または第２脚板同士間に横架される横架材６０で形成される、上部にコンロ７０が載置されるコンロ置き部６５とを備える。【選択図】図１
2019042200.tif 000002
【特許請求の範囲】
【請求項１】
相平行に起立状態で配置される一対の第１脚板と、この第１脚板に直行しかつ相平行に起立状態で配置される一対の第２脚板とを備え、第１脚板、第２脚板の左右にそれぞれ設けられた縦方向に延びるスリットと該スリットと嵌まり合う嵌合部とを嵌め合わせることで平面視井の字形に組まれる脚板部と、
この脚板部の上部と着脱可能に係合する一枚または複数枚の天板で形成される、平面視で中央が開口した天板部と、
前記一対の第１脚板同士または前記一対の第２脚板同士に設けられた穴に挿通され、その穴の縁部と着脱可能に係合することで、第１脚板同士間または第２脚板同士間に横架される横架材で形成される、上部にコンロが載置されるコンロ置き部と、
を備えていることを特徴とする組立式バーベキューテーブル。
【請求項２】
請求項１において、
前記天板は、第１脚板の上辺部、第２脚板の上辺部のいずれかまたは双方に着脱可能に嵌まり合う凹部または凸部を有し、該凹部または凸部が前記上辺部と嵌まり合ったときに、前記一対の第１脚板同士および前記一対の第２脚板同士を連結することを特徴とする組立式バーベキューテーブル。
【請求項３】
請求項１において、
平面視で井の字を形成する第１脚板、第２脚板の外方への突き出し部分の上部には、平面視で各板の長手方向に延びる脚側係合部が設けられ、
前記天板部は四方に分割された４枚の天板で形成され、
それら各天板の左右には、前記脚側係合部に対して、前記長手方向から着脱可能に嵌まり合う天板側係合部が設けられていることを特徴とする組立式バーベキューテーブル。
【発明の詳細な説明】
【技術分野】
【０００１】
本発明は、組立式バーベキューテーブルに関するものである。
【背景技術】
【０００２】
従来、例えば特許文献１に見られるように、折り畳み式のバーベキューテーブルが知られている。
このような折り畳み式バーベキューテーブルによれば、天板部に対し脚部を折り畳み、コンパクトにして収納したり携行したりすることができる。
【先行技術文献】
【特許文献】
【０００３】
【特許文献１】特開２００３−１９９６２９号公報
【発明の概要】
【発明が解決しようとする課題】
【０００４】
上述した折り畳み式バーベキューテーブルは、主要部、例えば天板部と脚部とは折り畳み式であるが故に、分割して収納したり携行したりすることはできない。また、主要部品が損傷した場合、その部品のみを交換することは困難である。。
本発明が解決しようとする課題は、主要部を分割して収納したり携行したりすることを可能とし、また、損傷した部品のみを交換することができる組立式バーベキューテーブルを提供することである。
【課題を解決するための手段】
【０００５】
上記課題を解決するために本発明の組立式バーベキューテーブルは、
相平行に起立状態で配置される一対の第１脚板と、この第１脚板に直行しかつ相平行に起立状態で配置される一対の第２脚板とを備え、第１脚板、第２脚板の左右にそれぞれ設けられた縦方向に延びるスリットと該スリットと嵌まり合う嵌合部とを嵌め合わせることで平面視井の字形に組まれる脚板部と、
この脚板部の上部と着脱可能に係合する一枚または複数枚の天板で形成される、平面視で中央が開口した天板部と、
前記一対の第１脚板同士または前記一対の第２脚板同士に設けられた穴に挿通され、その穴の縁部と着脱可能に係合することで、第１脚板同士間または第２脚板同士間に横架される横架材で形成される、上部にコンロが載置されるコンロ置き部と、
を備えていることを特徴とする。
【０００６】
この組立式バーベキューテーブルによれば、
一対の第１脚板を相平行に起立状態となるように、また、一対の第２脚板を第１脚板に直行しかつ相平行に起立状態となるように、第１脚板、第２脚板の左右にそれぞれ設けられた縦方向に延びるスリットと該スリットと嵌まり合う嵌合部とを嵌め合わせることで平面視井の字形に組んで脚板部を組み立て、
その脚板部の上部に一枚または複数枚の天板を係合させて平面視で中央が開口した天板部を形成し、
前記一対の第１脚板同士または前記一対の第２脚板同士に設けられた穴に、横架材を挿通して前記穴の縁部に係合させることで、第１脚板同士間または第２脚板同士間に横架して、コンロ置き部を形成することでバーベキューテーブルを組み立てることができ、コンロ置き部にコンロを載置して、バーベキューを行うことができる。
また、上記と逆手順にて分解し、適所に収納に、あるいは携行することができる。
すなわち、この組立式バーベキューテーブルによれば、脚部や天板部等の主要部を分割して収納したり携行したりすることが可能であり、また、損傷した部品のみを交換することも可能となる。
【０００７】
この組立式バーベキューテーブルにおいては、
前記天板は、第１脚板の上辺部、第２脚板の上辺部のいずれかまたは双方に着脱可能に嵌まり合う凹部または凸部を有し、該凹部または凸部が前記上辺部と嵌まり合ったときに、前記一対の第１脚板同士および前記一対の第２脚板同士を連結する構成とすることができる。
このように構成すると、天板が、一対の第１脚板同士および一対の第２脚板同士を連結する梁としての役割を果たすこととなるので、組立時の頑丈さを高めることができる。
【０００８】
この組立式バーベキューテーブルにおいては、
平面視で井の字を形成する第１脚板、第２脚板の外方への突き出し部分の上部には、平面視で各板の長手方向に延びる脚側係合部が設けられ、
前記天板部は四方に分割された４枚の天板で形成され、
それら各天板の左右には、前記脚側係合部に対して、前記長手方向から着脱可能に嵌まり合う天板側係合部が設けられている構成とすることができる。
このように構成すると、天板が、一対の第１脚板同士および一対の第２脚板同士を連結する梁としての役割を果たすこととなるので、組立時の頑丈さを高めることができると同時に、脚部と天板部とが上下方向においても前記両係合部にて係合されることとなるので、天板を持ってテーブル全体を移動させやすくなる。
【図面の簡単な説明】
【０００９】
【図１】本発明に係る組立式バーベキューテーブルの実施の形態を示す図で、（ａ）は平面図、（ｂ）は正面図。
【図２】同じく、（ｃ）は左側面図、（ｄ）は図１（ｂ）におけるｄ−ｄ断面図。
【図３】（ａ１）は第１脚板１０の正面図、（ｂ１）は同じく左側面図、（ａ２）は第２脚板２０の正面図、（ｂ２）は同じく左側面図。
【図４】脚板部の組立参考概略斜視図。
【図５】（ａ１）は天板４０の平面図、（ｂ１）は同じく正面図、（ａ２）は天板４０’の平面図、（ｂ２）は同じく正面図。
【図６】横架材６０を示す図で、（ａ）は平面図、（ｂ）は正面図、横架材の変形例を示す図で、（ａ）は平面図、（ｂ）は正面図。
【図７】（ａ１）は天板４０（４０’）の変形例を示す平面図、（ａ２）は正面図、（ａ３）は底面図、（ｂ１）は天板４０（４０’）の他の変形例を示す平面図、（ｂ２）は正面図、（ｂ３）は底面図。
【図８】脚部と天板部との係合部の変形例を示す部分拡大断面図。
【発明を実施するための形態】
【００１０】
以下、本発明に係る組立式バーベキューテーブルの実施の形態について図面を参照して説明する。なお、各図において、同一部分ないし相当する部分には、同一の符号を付してある。
【００１１】
図１，図２に示すように、この実施の形態の組立式バーベキューテーブル１は、脚板部３０と、天板部５０と、コンロ置き部６５とを備えている。
【００１２】
図３，図４にも示すように、脚板部３０は、相平行に起立状態で配置される一対の第１脚板１０，１０と、この第１脚板１０，１０に直行しかつ相平行に起立状態で配置される一対の第２脚板２０，２０とを備え、第１脚板１０、第２脚板２０の左右にそれぞれ設けられた縦方向に延びるスリット１１，１１，２１，２１と該スリット１１，１１，２１，２１と嵌まり合う嵌合部２２，２２，１２，１２とを嵌め合わせることで平面視井の字形（図１（ａ）参照）に組まれることで構成される。
【００１３】
図１に示すように、天板部５０は、脚板部３０の上部３１と着脱可能に係合する複数枚（図示のものは４枚）の天板４０（４０’）で形成され、平面視（図１（ａ））で中央が開口している。開口部を符号５１で示す。
【００１４】
図１，図２に示すように、コンロ置き部６５は、前記一対の第１脚板１０同士に設けられた穴１３，１３に挿通され、その穴１３の縁部１４と着脱可能に係合することで、第１脚板１０同士間に横架される横架材６０で形成され、横架材６０の上部に、仮想線で示すようにコンロ（七輪を含む）７０が載置される。穴１３，１３は、コンロ７０への空気供給口としての役割も果たす。同様に、第２脚板２０に設けた開口２３（図２）もコンロ７０への空気供給口としての役割を果たす。
【００１５】
この組立式バーベキューテーブル１は、例えば次のようにして利用することができる。
【００１６】
主として図１，図４に示すように、一対の第１脚板１０，１０を相平行に起立状態となるように、また、一対の第２脚板２０，２０を第１脚板１０，１０に直行しかつ相平行に起立状態となるように、第１脚板１０、第２脚板２０の左右にそれぞれ設けられた縦方向に延びる１１，１１，２１，２１と該スリット１１，１１，２１，２１と嵌まり合う嵌合部２２，２２，１２，１２とを嵌め合わせることで平面視井の字形に組んで脚板部３０を組み立てる。
【００１７】
その脚板部３０の上部３１に４枚の天板４０（４０’）を係合させて平面視で中央が開口（５１）した天板部５０を形成する。
【００１８】
一対の第１脚板１０同士に設けられた穴１３，１３に、横架材６０を挿通して穴１３，１３の縁部１４，１４に係合させることで、第１脚板１０同士間に横架して、コンロ置き部６５を形成する。
【００１９】
このようにして組み立てたバーベキューテーブル１のコンロ置き部６５にコンロ（例えば七輪）７０を載置して、バーベキューを行うことができる。
また、上記と逆手順にて分解し、適所に収納に、あるいは携行することができる。
【００２０】
すなわち、この組立式バーベキューテーブル１によれば、脚板部３０や天板部５０等の主要部を分割して収納したり携行したりすることが可能である。また、損傷した部品（例えば一枚の脚板１０、一枚の天板４０）のみを交換することも可能となる。
【００２１】
図１，図２，図５に示すように、天板４０（４０’）は、第１脚板１０の上辺部１５、第２脚板の上辺部２５のいずれかに着脱可能に嵌まり合う凹部４５（４５’）を有し、該凹部４５（４５’）が前記上辺部１５（２５）と嵌まり合ったときに、一対の第１脚板１０同士および一対の第２脚板２０同士を連結する。
【００２２】
このように構成すると、天板４０（４０’）が、一対の第１脚板１０同士および一対の第２脚板２０同士を連結する梁としての役割を果たすこととなるので、組立時の頑丈さ（組立後のテーブルの頑丈さ）を高めることができる。
【００２３】
図１〜図３に示すように、この実施の形態では、平面視で井の字を形成する第１脚板１０、第２脚板２０の外方への突き出し部分の上部には、平面視で各板の長手方向（図１（ａ）において上下方向、左右方向）に延びる脚側係合部１６，２６が設けられている。
一方、天板部５０は四方に分割された４枚の天板４０（４０’）で形成され、それら各天板４０（４０’）の左右には、図５に示すように脚側係合部１６，２６に対して、前記長手方向から着脱可能に嵌まり合う天板側係合部４６（４６’）が設けられている。なお、この実施の形態では、天板側係合部４６（４６’）によって、上記凹部４５（４５’）が形成されている。
【００２４】
このように構成すると、天板４０（４０’）が、一対の第１脚板１０同士および一対の第２脚板２０同士を連結する梁としての役割を果たすこととなるので、組立時の頑丈さを高めることができると同時に、脚板部３０と天板部５０とが上下方向においても前記両係合部１６（２６），４６（４６’）にて係合されることとなるので、天板４０（４０’）を持ち上げてテーブル１全体を移動させやすくなる。
【００２５】
なお、天板４０は、平面視井の字形に組み立てた一対の第１脚板１０の脚側係合部１６，１６に対して、水平方向から着脱される。同様に、天板４０は、平面視井の字形に組み立てた一対の第２脚板２０の脚側係合部２６，２６に対して、水平方向から着脱される。
【００２６】
上記のような組立式バーベキューテーブル１を構成する各部材は、適宜の材料、例えば木材や耐熱性合成樹脂で構成することができる。
第１脚板１０を木材で構成する場合、脚側係合部１６は、板体の上部に角材１７（図３参照）を接着または結合部材（釘、木ねじ等）で結合することで形成することができる。
第２脚板２０を木材で構成する場合、脚側係合部２６は、板体の上部に角材２７（図３参照）を接着または結合部材（釘、木ねじ等）で結合することで形成することができる。
天板４０（４０’）を木材で構成する場合、板体の下面に一対の断面Ｌ字形の棒部材４７（４７’）（図５参照）を接着または結合部材（釘、木ねじ等）で結合することで形成することができる。
【００２７】
以上、本発明の実施の形態について説明したが、本発明は上記の実施の形態に限定されるものではなく、本発明の要旨の範囲内において適宜変形実施可能である。
例えば、以下のような変形実施が可能です。
【００２８】
・上記実施の形態の天板部５０は、複数枚の天板で形成されるが、一枚の天板（例えば平面視ロ字形の天板）で形成することもできる。
【００２９】
・上記実施の形態では、コンロ置き部６５は、一対の第１脚板１０同士に設けられた穴１３，１３に挿通され、その穴１３の縁部１４と着脱可能に係合することで、第１脚板１０同士間に横架される横架材６０で形成されているが、コンロ置き部６５は、一対の第２脚板２０同士に設けられた穴に挿通され、その穴の縁部と着脱可能に係合することで、第２脚板２０同士間に横架される横架材で形成することもできる。
また、上記実施の形態の横架材６０は、図６（ａ）（ｂ）に示すように、板体６１の四隅に係合用のブロック６２を設けて構成することができるが、図６（ｃ）（ｄ）に示すように、一対の棒体６３の両端に係合用ブロック６２を設けて構成することもできる。一対の棒体６３でコンロ置き部６５を構成した方が軽量化を図ることができる。
【００３０】
・上記実施の形態では、図１，図２，図５に示すように、天板４０（４０’）は、第１脚板１０の上辺部１５、第２脚板の上辺部２５のいずれかに着脱可能に嵌まり合う凹部４５（４５’）を有し、該凹部４５（４５’）が前記上辺部１５（２５）と嵌まり合ったときに、一対の第１脚板１０同士および一対の第２脚板２０同士を連結する構成としたが、
天板４０（４０’）は、図７（ａ１）〜（ａ３）に示すように、第１脚板の上辺部および第２脚板の上辺部の両者に着脱可能に嵌まり合う互いに直交する凹部４１、４２を有し、該凹部４１，４２が前記上辺部１５（２５）と嵌まり合うことで、一対の第１脚板１０同士および一対の第２脚板２０同士、さらに相隣接する第１脚板１０と第２脚板２０とを連結する構成とすることもできる。
また、天板４０（４０’）は、図７（ｂ１）〜（ｂ３）に示すように、第１脚板の上辺部１５または第２脚板の上辺部２５のいずれかに着脱可能に嵌まり合う凹部４１のみを設けた構成とすることもできる。
天板４０（４０’）と、これに嵌り合う脚板との凹凸関係は、逆にすることも可能である。
【００３１】
図８に示すように、脚部と天板部との係合部の断面形状は、矩形に限らず台形状とすることもできる。
【００３２】
図１，図２に示すように、コンロ置き部６５の下方には、コンロ置き部と同様の構成の物置部６６を設けてもよい。
脚板部３０の適所には、トング等の物品を掛けるための物掛け穴６７を適所に適数設けることができる。
【００３３】
このバーベキューテーブルは、天板部５０の開口５１を閉じ蓋５３（図２（ｄ）参照）で閉じ、通常のテーブルとして利用することもできる。
【符号の説明】
【００３４】
１：    組立式バーベキューテーブル
１０：    第１脚板
１１：    スリット
１２：    嵌合部
１３：    穴
１４：    縁部
１５：    上辺部
１６：    脚側係合部
２０：    第２脚板
２１：    スリット
２２：    嵌合部
２５：    上辺部
２６：    脚側係合部
３０：    脚板部
４０：    天板
４０’：    天板
４５：    凹部
４６：    天板側係合部
５０：    天板部
５１：    開口
６０：    横架材
６５：    コンロ置き部
７０：    コンロ
【図１】
2019042200.tif 000003
【図２】
2019042200.tif 000004
【図３】
2019042200.tif 000005
【図４】
2019042200.tif 000006
【図５】
2019042200.tif 000007
【図６】
2019042200.tif 000008
【図７】
2019042200.tif 000009
【図８】
2019042200.tif 000010
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
相平行に起立状態で配置される一対の第１脚板と、この第１脚板に直行しかつ相平行に起立状態で配置される一対の第２脚板とを備え、第１脚板、第２脚板の左右にそれぞれ設けられた縦方向に延びるスリットと該スリットと嵌まり合う嵌合部とを嵌め合わせることで平面視井の字形に組まれる脚板部と、
この脚板部の上部と着脱可能に係合する４枚の天板で形成される、平面視で中央が開口した天板部と、
前記一対の第１脚板同士または前記一対の第２脚板同士に設けられた穴に挿通され、その穴の縁部と着脱可能に係合することで、第１脚板同士間または第２脚板同士間に横架される横架材で形成される、上部にコンロが載置されるコンロ置き部と、
を備え、
平面視で井の字を形成する第１脚板、第２脚板の外方への突き出し部分の上部には、平面視で各板の長手方向に延びる脚側係合部が設けられ、
前記天板部は四方に分割された４枚の天板で形成され、
それら各天板の左右には、前記脚側係合部に対して、前記長手方向から着脱可能に嵌まり合う天板側係合部が設けられていることを特徴とする組立式バーベキューテーブル。
【手続補正２】
【補正対象書類名】明細書
【補正対象項目名】０００５
【補正方法】変更
【補正の内容】
【０００５】
上記課題を解決するために本発明の組立式バーベキューテーブルは、
相平行に起立状態で配置される一対の第１脚板と、この第１脚板に直行しかつ相平行に起立状態で配置される一対の第２脚板とを備え、第１脚板、第２脚板の左右にそれぞれ設けられた縦方向に延びるスリットと該スリットと嵌まり合う嵌合部とを嵌め合わせることで平面視井の字形に組まれる脚板部と、
この脚板部の上部と着脱可能に係合する４枚の天板で形成される、平面視で中央が開口した天板部と、
前記一対の第１脚板同士または前記一対の第２脚板同士に設けられた穴に挿通され、その穴の縁部と着脱可能に係合することで、第１脚板同士間または第２脚板同士間に横架される横架材で形成される、上部にコンロが載置されるコンロ置き部と、
を備え、
平面視で井の字を形成する第１脚板、第２脚板の外方への突き出し部分の上部には、平面視で各板の長手方向に延びる脚側係合部が設けられ、
前記天板部は四方に分割された４枚の天板で形成され、
それら各天板の左右には、前記脚側係合部に対して、前記長手方向から着脱可能に嵌まり合う天板側係合部が設けられていることを特徴とする。
【手続補正３】
【補正対象書類名】明細書
【補正対象項目名】０００６
【補正方法】変更
【補正の内容】
【０００６】
この組立式バーベキューテーブルによれば、
一対の第１脚板を相平行に起立状態となるように、また、一対の第２脚板を第１脚板に直行しかつ相平行に起立状態となるように、第１脚板、第２脚板の左右にそれぞれ設けられた縦方向に延びるスリットと該スリットと嵌まり合う嵌合部とを嵌め合わせることで平面視井の字形に組んで脚板部を組み立て、
その脚板部の上部に４枚の天板を係合させて平面視で中央が開口した天板部を形成し、
前記一対の第１脚板同士または前記一対の第２脚板同士に設けられた穴に、横架材を挿通して前記穴の縁部に係合させることで、第１脚板同士間または第２脚板同士間に横架して、コンロ置き部を形成することでバーベキューテーブルを組み立てることができ、コンロ置き部にコンロを載置して、バーベキューを行うことができる。
また、上記と逆手順にて分解し、適所に収納に、あるいは携行することができる。
すなわち、この組立式バーベキューテーブルによれば、脚部や天板部等の主要部を分割して収納したり携行したりすることが可能であり、また、損傷した部品のみを交換することも可能となる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
また、この組立式バーベキューテーブルは、
平面視で井の字を形成する第１脚板、第２脚板の外方への突き出し部分の上部には、平面視で各板の長手方向に延びる脚側係合部が設けられ、
前記天板部は四方に分割された４枚の天板で形成され、
それら各天板の左右には、前記脚側係合部に対して、前記長手方向から着脱可能に嵌まり合う天板側係合部が設けられている構成となっているので、天板が、一対の第１脚板同士および一対の第２脚板同士を連結する梁としての役割を果たすこととなるので、組立時の頑丈さを高めることができると同時に、脚部と天板部とが上下方向においても前記両係合部にて係合されることとなるので、天板を持ってテーブル全体を移動させやすくなる。